(57)【要約】      （修正有）【課題】構造が簡素で安価かつ軽量であり、自由に歩行も可能であって、生活上の制限もこれまでより格段に少なく、しかも治癒期間を短縮できるアキレス腱ガイドおよび当該アキレス腱ガイドを用いたアキレス腱治療具を提供する。【解決手段】断裂したアキレス腱の断裂部を含み、当該断裂部より広い範囲を円筒状に包み込み得る凹条部３３を具備した熱可塑性合成樹脂製のアキレス腱ガイド本体３１と、当該アキレス腱ガイド本体３１における少なくともアキレス腱に対応する面を覆う大きさ及び形状を有するエラストマー製のガイドカバー３２とからなるアキレス腱ガイド３０を、ふくらはぎ側カバー２０内に係止し、当該ふくらはぎ側カバー２０と甲側カバーを用いて、断裂部を固定し断裂部の癒合が促進されるようにした。【選択図】図２
0003189271.tif 000002
【実用新案登録請求の範囲】
【請求項１】
断裂したアキレス腱の断裂部を含み、当該断裂部より広い範囲を円筒状に包み込み得る凹条部を具備した熱可塑性合成樹脂製のアキレス腱ガイド本体と、当該アキレス腱ガイド本体における少なくともアキレス腱に対応する面を覆う大きさ及び形状を有するガイドカバーとからなり、前記ガイドカバーをエラストマー材により形成したことを特徴とするアキレス腱ガイド。
【請求項２】
熱可塑性ポリエステル素材をガーゼに含浸させてなる熱可塑性樹脂帯により作成したふくらはぎ側カバー及び甲側カバーとを備え、請求項１に記載のアキレス腱ガイドを前記ふくらはぎ側カバー内に係止し、前記甲側カバーと前記ふくらはぎ側カバーとで、アキレス腱断裂部を含む足首部を固定保持すると共に、断裂部の癒合程度に応じて前記ふくらはぎ側カバー及び甲側カバーを外し、当該ふくらはぎ側カバー及び甲側カバーを再加熱して軟化させ、形状を変えたふくらはぎ側カバー及び甲側カバーとアキレス腱ガイドを用いて、断裂したアキレス腱を治療するようにしたことを特徴とするアキレス腱治療具。
【考案の詳細な説明】
【技術分野】
【０００１】
本考案は断裂したアキレス腱を治療するために用いるアキレス腱ガイドおよび当該アキレス腱ガイドを用いたアキレス腱治療具に関する。
【背景技術】
【０００２】
アキレス腱の断裂治療には腱縫合術を中心とした外科手術と保存療法とがあるが、何れも足の関節を固定し、さらにアキレス腱の治癒状態に応じて足首関節の角度を変えていく必要があり、これに関連する技術が下記の特許文献１に開示されている。
【０００３】
特許文献１に開示された整形外科用の治療具の概略を図５を使用して説明する。図５に示すアキレス腱の断裂を治療するための整形外科用の治療具１００は、支持体４０２によって足首を含む下肢を固定保護するようになっている。また支持体４１６で患者の足底を受け、支持装置４０５で下肢全体を支える。そして、ヒンジ４１９によって支持体４１６の角度を治癒状況に応じ設定することによって、リハビリを可能としアキレス腱の治癒を促すものである。
【先行技術文献】
【特許文献】
【０００４】
【特許文献１】特表２００１−５１０３５５号公報
【考案の概要】
【考案が解決しようとする課題】
【０００５】
前記特許文献１に開示された従来の技術は構造が複雑で高価であり、下肢を支える構造物に強度が必要なため必然的に全体重量が重くなり、この結果、歩行は不自由になり使用者にとって生活上の負担が大きいという問題点がある。さらに、下肢の運動が制限されるためリハビリ効果が希薄になり治癒期間も長くなるという課題がある。
【０００６】
本考案は、前記した従来の整形外科用治療具の問題点を解決し、構造が簡素で安価かつ軽量であり、自由に歩行も可能であって、生活上の制限もこれまでより格段に少なく、しかも治癒期間を短縮できるアキレス腱ガイドおよび当該アキレス腱ガイドを用いたアキレス腱治療具を提供することを目的とするものである。
【課題を解決するための手段】
【０００７】
上記課題を解決するための本考案の構成を詳述すれば、請求項１に係る考案は、断裂したアキレス腱の断裂部を含み、当該断裂部より広い範囲を円筒状に包み込み得る凹条部を具備した熱可塑性合成樹脂製のアキレス腱ガイド本体と、当該アキレス腱ガイド本体における少なくともアキレス腱に対応する面を覆う大きさ及び形状を有するガイドカバーとからなり、前記ガイドカバーをエラストマー材により形成したことを特徴とするアキレス腱ガイドである。
【０００８】
また、請求項２に係る考案は、熱可塑性ポリエステル素材をガーゼに含浸させてなる熱可塑性樹脂帯により作成したふくらはぎ側カバー及び甲側カバーとを備え、請求項１に記載のアキレス腱ガイドを前記ふくらはぎ側カバー内に係止し、前記甲側カバーと前記ふくらはぎ側カバーとで、アキレス腱断裂部を含む足首部を固定保持すると共に、断裂部の癒合程度に応じて前記ふくらはぎ側カバー及び甲側カバーを外し、当該ふくらはぎ側カバー及び甲側カバーを再加熱して軟化させ、形状を変えたふくらはぎ側カバー及び甲側カバーとアキレス腱ガイドを用いて断裂したアキレス腱を治療するようにしたことを特徴とするアキレス腱治療具である。
【０００９】
本考案に係るアキレス腱保護具は、前記したように、断裂したアキレス腱の断裂部を含み断裂部より広い範囲を半円筒状に包み込むことができるアキレス腱ガイド本体と、当該アキレス腱ガイド本体の、アキレス腱に対応する面を覆うガイドカバーとを有し、アキレス腱ガイド本体を熱可塑性樹脂により形成するとともにガイドカバーをエラストマー材により形成したことを特徴とするものであり、軽量かつ安価に製作することができる。
【００１０】
さらに、再加熱により軟化させて形状を適宜変えることができる熱可塑性樹脂帯により作成したふくらはぎ側カバーと甲側カバーを用いて、前記したアキレス腱ガイドを所定位置に保持させ、アキレス腱断裂部を含む足首部を固定保持することによって、断裂したアキレス腱の早期癒合を可能にすることができる。
【考案の効果】
【００１１】
上述のように本考案に係るアキレス腱ガイドおよび当該アキレス腱ガイドを用いたアキレス腱治療具によれば、断裂したアキレス腱の２個所の断裂端面は、比較的堅い材質のアキレス腱ガイド本体と柔軟なエラストマー材のガイドカバーとによって堅固にかつ低刺激で保持されるので使用者の負担が少なく、短い期間で構造的に良い状態で再生癒合することが可能となる。さらに、足関節は熱可塑性樹脂帯による甲側カバーとふくらはぎ側カバーとで固定されるので、２つのカバーを再加熱して足関節の角度を治癒状況に応じて再設定することが可能となり、構造が簡単で軽量かつ日常生活上の支障が少ないアキレス腱治療具を提供することができる。
【図面の簡単な説明】
【００１２】
【図１】本考案に係るアキレス腱ガイドを用いたアキレス腱治療具の使用例を示す説明図である。
【図２】図１におけるふくらはぎ側カバーとアキレス腱ガイドの構成を示す斜視図である。
【図３】図１におけるふくらはぎ側カバー内にアキレス腱ガイドをセットするときの説明図である。
【図４】本考案に係るアキレス腱ガイドの装着方法を示す側面図である。
【図５】従来の整形外科用の治療具（包帯）の構造を示す外観図である。
【考案を実施するための形態】
【００１３】
以下、図１から図４を用いて本考案に係るアキレス腱ガイドおよび当該アキレス腱ガイドを用いたアキレス腱治療具の具体的構成を詳述する。なお、以下に示す実施の形態に記載されている構成部品の寸法、材質、形状、相対的配置係等はそれのみに限定するものではないと共に、各構成要素の大きさや位置関係等は説明を明確にするために一定程度誇張していることがある。
【００１４】
図１を用いて本考案のアキレス腱ガイドを用いたアキレス腱治療具１の主たる構成要素を説明する。
【００１５】
図１はアキレス腱ガイド３０を用いたアキレス腱治療具１の外観状態を示すもので、図１（ａ）は背面部を、図１（ｂ）は側面部を示す。図１に示すように本考案のアキレス腱治療具１は、甲側カバー１０と、ふくらはぎ側カバー２０と、アキレス腱ガイド３０と、包帯５０および弾性包帯５０ｄとから構成され、足首部Ｆを中心に装着する。
【００１６】  甲側カバー１０は、例えば商品名で（公序良俗違反につき、不掲載）と称されるもので、熱可塑性ポリエステル素材をガーゼに含浸させて構成した熱可塑性樹脂帯により作成したものであり、当該熱可塑性樹脂帯を複数枚積層させ、脛部から足首の甲側を覆う広さに成形したカバーである。ふくらはぎ側カバー２０は前記甲側カバー１０と同一の材料を用い、ふくらはぎの上部からかかとを超え足裏の略中央部に至る部分を覆って保護するカバーである。
【００１７】
アキレス腱ガイド３０はアキレス腱Ａが断裂し、断裂部Ｂを生じている状態から、生体の自己修復機能によってアキレス腱Ａの２つの断裂端部が接合し、短い期間で構造的に良い状態で再生癒合する過程を誘導かつ保護するためのものであり、アキレス腱の断裂部を含み当該断裂部より広い範囲を半円筒状に包み込み得るように形成されたものである。当該アキレス腱ガイド３０は後述するアキレス腱ガイド本体３１と、ガイドカバー３２から構成される。
【００１８】
図２を用いてふくらはぎ側カバー２０およびアキレス腱ガイド３０の構造を説明する。
図２に示すように、ふくらはぎ側カバー２０は予め治療対象者をうつぶせに寝かせ、脛部から足尖（爪先）の三横指（足の親指と小指を除いた三指をくっつけた状態の幅の広さ）までを、軟化する程度まで加熱した熱可塑性樹脂帯で型を取り適宜調整して形成したものである。アキレス腱ガイド３０は前記したように、アキレス腱ガイド本体３１とガイドカバー３２とから形成される。
【００１９】
ガイドカバー３２は、厚さ１〜３ｍｍの柔軟なエラストマーで、優れた衝撃吸収性を有する例えば一般に「ソルボ繊維」として知られている材料を用いて製せられ、後述するアキレス腱ガイド本体３１のアキレス腱側を覆い、使用者に痛みなどのストレスを与えないために設けられる。アキレス腱ガイド本体３１は健常な足のアキレス腱部に、アキレス腱断裂部を十分覆うことができる長さのガイドカバー３２を当て、更にその上に同寸法の熱可塑性樹脂帯を当て加熱硬化し、型を取る手法で形成する。アキレス腱ガイド本体３１とガイドカバー３２とは、硬化しても弾性を失わないシリコーンを用いた接着材ＳＡ１を用いて係止される。
【００２０】
なお、熱可塑性合成樹脂製のアキレス腱ガイド本体３１には、アキレス腱の断裂部を含み、当該断裂部より広い範囲を円筒状に包み込み得る凹条部３３を形成してあり、当該アキレス腱ガイド本体３１のアキレス腱側に嵌着するガイドカバー３２にも前記凹条部３３に対応する凹条部３４を形成してある。
【００２１】
次に、図３を用いてアキレス腱ガイド３０のふくらはぎ側カバー２０への組み付け方法を詳述する。図３に示すように、アキレス腱ガイド本体３１にガイドカバー３２を係止し形成したアキレス腱ガイド３０を、接着材ＳＡ２を用いてふくらはぎ側カバー２０の内側の所定箇所に係止する。接着材ＳＡ２としては弾性を有するシリコーン接着材が好適に用いられる。
【００２２】
次に、図４を用いて足首部Ｆに本考案に係るアキレス腱ガイド３０を装着する手順につき説明する。先ず、図４に示す前記した熱可塑性樹脂帯により製した甲側カバー１０を加熱し治療対象者の甲側にフィットするよう調整する。より詳細には甲側カバー１０は、治療対象者を座位の状態で寝かせ、膝下のでっぱりである脛骨粗面部から足尖の三横指部まで覆う様に形成する。そして足首部Ｆに当該甲側カバー１０とアキレス腱ガイド３０を係止したふくらはぎ側カバー２０とを、複数の束線４０を用いて固定する。
【００２３】
より詳細には、ふくらはぎ側カバー２０に係止されたアキレス腱ガイド３０の中央が、足首部Ｆのアキレス腱Ａの断裂部Ｂに位置し、断裂部Ｂを十分な長さで覆い、さらにアキレス腱Ａの両側を隙間無く挟持する状態に固定する。その後、束線４０を用いて甲側カバー１０で仮止めし、図１に示すように包帯５０および弾性包帯５０ｄで固定する。なお，図１および図４に示すように、甲側カバー１０およびふくらはぎ側カバー２０は足首部Ｆが尖足位にならないように自然下垂位で固定する。
【００２４】
すなわち、足首部Ｆは尖足位では固定されず自然下垂位の状態なので、治療対象者は、「がにまた」状（すなわち股関節外転外旋）の、片足を開いた歩行を行うことが可能であり、歩行によって治癒が促進される。また、治療対象者の経過に応じて、甲側カバー１０およびふくらはぎ側カバー２０を再加熱して軟化させ、形状を適宜変えて足首の角度を再設定すれば歩行や運動がさらに自由になり、運動によるリハビリ効果で治癒が一層促進される。
【００２５】
以上述べたように、本考案によるアキレス腱ガイドおよびアキレス腱治療具によれば、構造が簡素で、安価かつ軽量であり、治療対象者は治療直後から「がにまた」状ではあるが歩行を行えるので、生活上の制限がなく短期で治療が可能なアキレス腱治療具を提供することができる。
【符号の説明】
【００２６】
１：アキレス腱治療具
１０：甲側カバー
２０：ふくらはぎ側カバー
３０：アキレス腱ガイド
３１：アキレス腱ガイド本体
３２：ガイドカバー
３３：凹条部
３４：凹条部
４０：束線
５０：包帯
５０ｄ：弾性包帯
Ｆ：足首部
Ａ：アキレス腱
Ｂ：断裂部
ＳＡ１、ＳＡ２：接着材
【図１】
0003189271.tif 000003
【図２】
0003189271.tif 000004
【図３】
0003189271.tif 000005
【図４】
0003189271.tif 000006
【図５】
0003189271.tif 000007
【手続補正書】
【提出日】平成26年1月7日(2014.1.7)
【手続補正１】
【補正対象書類名】明細書
【補正対象項目名】００１６
【補正方法】変更
【補正の内容】
【００１６】
甲側カバー１０は、熱可塑性ポリエステル素材をガーゼに含浸させて構成した熱可塑性樹脂帯により作成したものであり、当該熱可塑性樹脂帯を複数枚積層させ、脛部から足首の甲側を覆う広さに成形したカバーである。ふくらはぎ側カバー２０は前記甲側カバー１０と同一の材料を用い、ふくらはぎの上部からかかとを超え足裏の略中央部に至る部分を覆って保護するカバーである。
【手続補正２】
【補正対象書類名】明細書
【補正対象項目名】００１９
【補正方法】変更
【補正の内容】
【００１９】
ガイドカバー３２は、厚さ１〜３ｍｍの柔軟なエラストマーで、優れた衝撃吸収性を有する例えば一般に「ソルボ（登録商標）繊維」として知られている材料を用いて製せられ、後述するアキレス腱ガイド本体３１のアキレス腱側を覆い、使用者に痛みなどのストレスを与えないために設けられる。アキレス腱ガイド本体３１は健常な足のアキレス腱部に、アキレス腱断裂部を十分覆うことができる長さのガイドカバー３２を当て、更にその上に同寸法の熱可塑性樹脂帯を当て加熱硬化し、型を取る手法で形成する。アキレス腱ガイド本体３１とガイドカバー３２とは、硬化しても弾性を失わないシリコーンを用いた接着材ＳＡ１を用いて係止される。